(57)【要約】【課題】フィードフォワード電力増幅器の歪電力除去効率、あるいは電力効率を高める。【解決手段】主増幅器１２の歪電力を補償する主増幅器歪補償路４０を設け、この補償路４０はフィードフォワード路１８の歪信号の一部を第１方向性結合器４２によって分岐し、この分岐信号を歪増幅器４４によって増幅し、これを本線路１０の主増幅器１２上流側に逆位相で注入することによって、歪電力を除去する。【選択図】        図２
2004266700.tif 000002
【特許請求の範囲】
【請求項１】
本線路に設けられた主増幅器の入力信号と出力信号との差分から歪信号を検出し、この歪信号を補助増幅器にて増幅して主増幅器の出力信号に減算結合するフィードフォワード路を有するフィードフォワード電力増幅器において、
主増幅器の歪電力を補償する主増幅器歪補償路を含み、
前記主増幅器歪補償路は、
フィードフォワード路の歪信号の一部を分岐する第１分岐手段と、
この分岐歪信号を増幅する歪増幅器と、
増幅された歪信号を主増幅器の上流側の本線路に逆位相で注入する第２結合手段と、を含み、歪信号を歪増幅器及び主増幅器の両者で増幅して歪電力を除去することを特徴とするフィードフォワード電力増幅器。
【請求項２】
本線路に設けられた主増幅器の入力信号と出力信号との差分から歪信号を検出し、この歪信号を補助増幅器にて増幅して主増幅器の出力信号に減算結合するフィードフォワード路を有するフィードフォワード電力増幅器において、
補助増幅器の歪電力を補償する補助増幅器歪補償路を含み、
前記補助増幅器歪補償路は、
補助増幅器の出力信号の一部とフィードフォワード路の歪信号とを逆位相で結合して歪補償信号を出力する第３分岐及び減算手段と、
歪補償信号を増幅する歪補償増幅器と、
増幅された歪補償信号を補助増幅器の上流側のフィードフォワード路に逆位相で注入する第４結合手段と、
フィードフォワード路と補助増幅器歪補償路とに分岐する第５分岐手段と、を含み、歪補償信号を歪補償増幅器及び補助増幅器の両者で増幅して歪電力を除去することを特徴とするフィードフォワード電力増幅器。
【請求項３】
本線路に設けられた主増幅器の入力信号と出力信号との差分から歪信号を検出し、この歪信号を補助増幅器にて増幅して主増幅器の出力信号に減算結合するフィードフォワード路を有するフィードフォワード電力増幅器において、
主増幅器の歪電力を補償する主増幅器歪補償路と、
補助増幅器の歪電力を補償する補助増幅器歪補償路を含み、
前記主増幅器歪補償路は、
フィードフォワード路の歪信号の一部を分岐する第１分岐手段と、
この分岐歪信号を増幅する歪増幅器と、
増幅された歪信号を主増幅器の上流側の本線路に逆位相で注入する第２結合手段と、を含み、歪信号を歪増幅器及び主増幅器の両者で増幅して歪電力を除去し、
前記補助増幅器歪補償路は、
補助増幅器の出力信号の一部とフィードフォワード路の歪信号とを逆位相で結合して歪補償信号を出力する第３分岐及び減算手段と、
歪補償信号を増幅する歪補償増幅器と、
増幅された歪補償信号を補助増幅器の上流側のフィードフォワード路に逆位相で注入する第４結合手段と、
フィードフォワード路と補助増幅器歪補償路とに分岐する第５分岐手段と、を含み、歪補償信号を歪補償増幅器及び補助増幅器の両者で増幅して歪電力を除去することを特徴とするフィードフォワード電力増幅器。
【発明の詳細な説明】
【０００１】
【発明の属する技術分野】
本発明はフィードフォワード電力増幅器、特に高周波電力増幅用の主増幅器及び補助増幅器にて発生した歪電力を効果的に除去して広帯域に亘り良好な線形性を持ったフィードフォワード電力増幅器に関する。
【０００２】
【従来の技術】
地上波デジタルテレビジョン放送やデジタル移動体通信等の通信システムにおいては、送信回路として高周波電力増幅用の増幅器が用いられ、この電力増幅器としては広い周波数帯域に亘り良好な線形特性を有する増幅器が要求されている。
【０００３】
従来、このような高周波電力増幅器としてはフィードフォワード電力増幅器が用いられている。図１には、従来の一般的なフィードフォワード電力増幅器の概略構成が示されている。
【０００４】
本線路１０に設けられた主増幅器１２には入力端子１４から高周波信号が供給され、主増幅器１２によって増幅された後、出力端子１６から後段の回路例えば出力フィルタやアンテナに供給される。周知のように、主増幅器１２には、通常ある程度の非線形特性があり、例えばデジタル地上波テレビジョン放送で使用予定のＯＦＤＭ（Ｏｒｔｈｏｇｏｎａｌ  Ｆｒｅｑｕｅｎｃｙ  ＤｉｖｉｓｉｏｎＭｕｌｔｉｐｌｅｘ）方式などのように多数のキャリアを小さな周波数間隔で並べる多重化方式を採用する場合、主増幅器１２の非線形特性により、キャリア同士の相互変調が生じ、その結果歪が発生することが知られている。
【０００５】
このような歪を補償するため、従来においては、主増幅器１２の入力信号と出力信号との差分から歪信号を検出しこの歪信号を補助増幅器にて増幅して主増幅器の出力信号に減算結合するフィードフォワード路１８が設けられている。
【０００６】
図において、入力端子１４の後段には分岐器２０が設けられ、主増幅器１２への入力信号の一部がフィードフォワード路１８に分岐される。図において、分岐器２０は方向性結合器からなり、その開放端子には信号入出力に使用しない端子を終端するためのインピーダンスすなわちダミーロードＲが接続されている。フィードフォワード路１８の遅延線によって遅延された分岐信号は本線路１０の主増幅器１２の後段において第７方向性結合器２２によって主増幅器１２の出力信号の一部と逆位相で結合され、Ａ点において歪信号が出力される。すなわち、図１において、経路ＩＮ１４−分岐器２０−ベクトル調整器２８−主増幅器１２−第７方向性結合器２２−Ａと経路ＩＮ１４−分岐器２０−フィードフォワード路１８−第７方向性結合器２２−Ａとは両者の通過利得が等しくかつ逆位相とすることによって、Ａ点には主増幅器１２の歪成分のみが歪信号として取り出されることとなる。
【０００７】
そして、この歪信号は補助増幅器２４によって増幅された後、第６方向性結合器２６において主増幅器１２の出力信号に減算結合される。
【０００８】
従って、このフィードフォワード路１８により主増幅器１２の歪電力を除去することが可能となる。
【０００９】
なお、本線路１０及びフィードフォワード路１８にはそれぞれベクトル調整器２８、３０が設けられ、高周波信号の利得、位相が調整されている。
【００１０】
しかしながら、前述した従来のフィードフォワード電力増幅器では、補助増幅器２４によって必要な補償電力が生成されていたので、この補助増幅器２４は歪が小さいことが要求されていた。
【００１１】
このために、従来においては、補助増幅器としてＡ級増幅器を用いたり、あるいは飽和電力が大きい増幅素子を用いることが必要であるという制約があった。
もちろん、主増幅器の歪が大きい場合には、補助増幅器の飽和電力を大きくする必要があり、全体の電力効率が低下してしまうことも大きな問題となっていた。
【００１２】
従来の改良されたフィードフォワード電力増幅器として、特許文献１に記載された装置があり、この従来装置においては、フィードフォワード路に加えて、歪補償部が設けられ歪補償部によって電力増幅器の発生する歪電力を増幅器の前段側にて除去することが行われている。
【００１３】
しかしながら、この従来技術においては、歪補償部は電力増幅器の出力信号から得られる包絡線成分の差分信号に基づいて電力増幅器に供給されるべき入力信号の利得を制御する構成となっているので、回路構成が複雑であり、また利得可変器や検波器の特性によっては、逆に歪を発生してしまうという欠点があった。
【００１４】
さらに、従来の他の装置として、特許文献２に記載のものがあったが、この従来装置では、正帰還系と負帰還系を組み合わせた複雑な回路構成となっており、その結果負帰還利得を十分大きくすることが出来ないために、主増幅器の歪を十分に抑圧することが出来ないという問題があった。
【００１５】
【特許文献１】
特開２００１−２０３５４７
【特許文献２】
特開２００２−２７１１５０
【００１６】
【発明が解決しようとする課題】
以上のように、従来のフィードフォワード増幅器において、主増幅器の歪成分を小さくするため、飽和電力の大きな主増幅器が必要となり、電力効率が低下するという問題があった。
【００１７】
また、従来のフィードフォワード増幅器において、主増幅器の歪成分が大きいときは、飽和電力の大きな補助増幅器が必要となり、電力効率が低下するという問題があった。
【００１８】
また、従来のフィードフォワード増幅器において、補助増幅器の歪成分は小さくなければならず、飽和電力の大きな補助増幅器が必要となり、電力効率が低下するという問題があった。
【００１９】
また、従来の歪補償増幅器において、プリディストーション方式などがある。
しかし、入力電力、入力周波数、周囲温度あるいは経時変化などによって変化する増幅器歪の逆歪特性を完全に生成することは極めて困難である。
【００２０】
また、従来の歪補償増幅器において、一般的な負帰還電力増幅回路を用いると歪のみならず、本線信号も負帰還されるために本線信号利得が低下するという問題があった。
【００２１】
本発明は上記従来の問題点を解決することを課題としてなされたものであり、簡単な回路構成で、小型でありながら、歪電力のみを効果的に除去して全体の電力効率を著しく低下させることなく歪補償を行うことのできる改良されたフィードフォワード電力増幅器を提供することを目的とする。
【００２２】
【課題を解決するための手段】
上記目的を達成するために、本発明は、本線路に設けられた主増幅器の入力信号と出力信号との差分から歪信号を検出し、この歪信号を補助増幅器にて増幅して主増幅器の出力信号に減算結合するフィードフォワード路を有するフィードフォワード電力増幅器において、主増幅器の歪電力を補償する主増幅器歪補償路を含み、前記主増幅器歪補償路は、フィードフォワード路の歪信号の一部を分岐する第１分岐手段と、この分岐歪信号を増幅する歪増幅器と、増幅された歪信号を主増幅器の上流側の本線路に逆位相で注入する第２結合手段と、を含み、歪信号を歪増幅器及び主増幅器の両者で増幅して歪電力を除去することを特徴とする。
【００２３】
また、本発明は、本線路に設けられた主増幅器の入力信号と出力信号との差分から歪信号を検出し、この歪信号を補助増幅器にて増幅して主増幅器の出力信号に減算結合するフィードフォワード路を有するフィードフォワード電力増幅器において、補助増幅器の歪電力を補償する補助増幅器歪補償路を含み、前記補助増幅器歪補償路は、補助増幅器の出力信号の一部とフィードフォワード路の歪信号とを逆位相で結合して歪補償信号を出力する第３分岐及び減算手段と、歪補償信号を増幅する歪補償増幅器と、増幅された歪補償信号を補助増幅器の上流側のフィードフォワード路に逆位相で注入する第４結合手段と、フィードフォワード路と補助増幅器歪補償路とに分岐する第５分岐手段と、を含み、歪補償信号を歪補償増幅器及び補助増幅器の両者で増幅して歪電力を除去することを特徴とする。
【００２４】
さらに、本発明は、本線路に設けられた主増幅器の入力信号と出力信号との差分から歪信号を検出し、この歪信号を補助増幅器にて増幅して主増幅器の出力信号に減算結合するフィードフォワード路を有するフィードフォワード電力増幅器において、主増幅器の歪電力を補償する主増幅器歪補償路と、補助増幅器の歪電力を補償する補助増幅器歪補償路を含み、前記主増幅器歪補償路は、フィードフォワード路の歪信号の一部を分岐する第１分岐手段と、この分岐歪信号を増幅する歪増幅器と、増幅された歪信号を主増幅器の上流側の本線路に逆位相で注入する第２結合手段と、を含み、歪信号を歪増幅器及び主増幅器の両者で増幅して歪電力を除去し、前記補助増幅器歪補償路は、補助増幅器の出力信号の一部とフィードフォワード路の歪信号とを逆位相で結合して歪補償信号を出力する第３分岐及び減算手段と、歪補償信号を増幅する歪補償増幅器と、増幅された歪補償信号を補助増幅器の上流側のフィードフォワード路に逆位相で注入する第４結合手段と、フィードフォワード路と補助増幅器歪補償路とに分岐する第５分岐手段と、を含み、歪補償信号を歪補償増幅器及び補助増幅器の両者で増幅して歪電力を除去することを特徴とする。
【００２５】
【発明の実施の形態】
以下、本発明の好適な実施の形態を詳細に説明する。
【００２６】
図２には、本発明に係る歪補償が行われるフィードフォワード電力増幅器の好適な実施形態の概略構成が示されている。
【００２７】
図２には、主増幅器１２の歪電力を補償する主増幅器歪補償路４０を備えたフィードフォワード電力増幅器が示され、基本的なフィードフォワード電力増幅回路の構成は図１に示した従来回路と同一であるため同一符号を付して説明を省略する。
【００２８】
主増幅器歪補償路４０は、フィードフォワード路１８の歪信号の一部を分岐するために第１方向性結合器４２を含み、この分岐された歪信号は歪増幅器４４によって増幅される。そして、この増幅された歪信号が主増幅器１２の上流側の本線路１０へ逆位相で注入され、この注入のために本線路１０には第２方向性結合器４６が設けられている。従って、この実施形態によれば、歪信号は歪増幅器４４と主増幅器１２の両者で増幅して歪電力を除去することが可能となる。
【００２９】
従って、フィードフォワード路１８による歪補償に加えて、主増幅器歪補償路４０によって全体の本線路１０における主増幅器１２の歪を分担して補償することが可能となり、この結果、補助増幅器２４あるいは歪増幅器４４のいずれも、小型かつ簡単な構成の増幅器で十分な歪除去を行うことが可能となる。
【００３０】
なお、図２において、主増幅器歪補償路４０にはベクトル調整器４８が設けられている。
【００３１】
図３には、図２に示した概略構成をさらに詳細に示した本発明の他の実施形態が示されており、図２と同一或いは対応する部材には符号に１００を加えて示し、詳細な説明は省略する。
【００３２】
入力端子１１４から入力された本線路１１０の主信号は分岐器１２０によって本線路１１０の信号とフィードフォワード路１１８の信号とに分岐される。
【００３３】
本線路１１０の信号は後述するベクトル調整器１２８および加算器からなる第２方向性結合器１４６を介して主増幅器１１２に供給され、所望の増幅作用が行われる。
【００３４】
主増幅器１１２の出力はさらに第７方向性結合器１２２によって遅延された入力信号と逆位相で結合される。
【００３５】
このために、第７方向性結合器１２２は第２分岐器１５０及び減算器１５２を含み、第２分岐器１５０は主増幅器１１２の出力信号を本線路信号と結合信号に分岐する。
【００３６】
そして、前述した分岐器１２０によって分岐された信号はフィードフォワード路１１８の遅延線を介して第７方向性結合器１２２の減算器１５２へ供給される。
【００３７】
従って、減算器１５２からは、主増幅器１１２の出力信号の一部と入力信号とが逆方向で結合された歪信号を出力することとなる。
【００３８】
本実施形態において、直交復調されたＩ、Ｑ信号は本線路１１０のベクトル調整器１２８へ供給され、本線路１１０の利得と位相を制御する。これによって、歪信号の抽出を自動で行うことができる。この歪信号は図２と同様に主増幅器１１２の上流に注入され、主増幅器の歪電力を除去している。
【００３９】
すなわち、減算器１５２の出力である歪信号は第３分岐器１５４によって、本線路１１０への注入用の信号とＩ、Ｑ直交復調用の信号とに分岐される。
【００４０】
前述した注入信号は位相器１５６を介して歪増幅器１４４に供給され、所望の利得制御が行われた後本線路１１０の主増幅器１１２上流に設けられた加算器からなる第２方向性結合器１４６に供給され、所望の歪補償が行われる。
【００４１】
一方、図３において特徴的なことは、前述した第３分岐器の出力が直交復調器１５８において、本線路１１０から取り出された主信号成分と直交復調されることである。
【００４２】
すなわち、本線路１１０において、第７方向性結合器１２２の下流に設けられた第４分岐器１６０においては、本線路１１０の信号が出力端子１１６への信号と分岐信号とに分岐され、この主信号成分が前述した直交復調器１５８に供給される。また、第４分岐器１６０は、主線路１１０における主増幅器１１２の下流にあればよいので、主増幅器１１２の直後や第６方向性結合器１２６と出力１１６の間に配置してもよい。
【００４３】
従って、直交復調器１５８からは歪信号に残留した主信号成分がなくなるようにＩ、Ｑ直交信号が出力される。そして、これらのＩ、Ｑ直交信号はそれぞれＩ増幅器１５２およびＱ増幅器１５４を介してベクトル調整器１２８に供給される。
【００４４】
従って、このようなＩ、Ｑ直交信号によるベクトル調整によって、第７方向性結合器１２２の減算器１５２へ供給される本線路１１０からの分岐信号とフィードフォワード路１１８からの信号とは同振幅かつ逆位相となるように制御される。従って、分岐器１２０、フィードフォワード路１１８、第７方向性結合器１２２、第４分岐器１６０、第６方向性結合器１２６の通過利得及び位相が一定であれば本線路１１０の通過利得及び位相は常に一定に保たれることになる。
【００４５】
このことは、歪検出ループの最適化を行っていることになる。従って、従来のフィードフォワード増幅器における歪検出ループの最適化に使用しているパイロット信号は不要となる。
【００４６】
前述した図２と同様に、図３の実施形態においても、歪信号を第２方向性結合器１４６を構成する加算器によって本線路１１０に注入する経路は負帰還経路となるように位相器１５６の位相量が設定されており、この結果、負帰還利得が大きいほど主増幅器１１２の歪を抑圧することができる。
【００４７】
以上のように本発明によれば、本線路１１０に設けられた主増幅器１１２の歪成分のみを除去することができ、主成分に対して負帰還がかかることがないので、主信号の利得を抑圧することはないという効果を得ることができる。このため、主増幅器１１２の歪成分を小さくできるので、補助増幅器１２４の負荷を低減できる。よって主増幅器、または補助増幅器は飽和電力の小さいものに置き換えることが可能となり、電力効率を上げることができる。
【００４８】
図４には、本発明に係るフィードフォワード電力増幅器のさらに他の実施形態が示されており、図２に示した実施形態と同一部材には同一符号を付して説明を省略する。
【００４９】
この実施形態において特徴的なことは、フィードフォワード路１８に設けられている補助増幅器２４の歪を除去するために、補助増幅器歪補償路７０が設けられていることである。この補助増幅器歪補償路７０は補助増幅器２４の出力信号の一部とフィードフォワード路１８の歪信号とを逆位相で結合して歪補償信号を出力する第３方向性結合器７２を有する。そして、歪補償信号は歪補償増幅器７４によって増幅され、この増幅された歪補償信号が補助増幅器２４の上流側のフィードフォワード路１８に逆位相で注入され、この注入のために、図４においては、第４方向性結合器７６が設けられている。
【００５０】
従って、この実施形態によれば歪補償信号を歪補償増幅器７４及び補助増幅器２４の両者で増幅して補助増幅器２４の歪電力を除去することが可能となる。なお、歪補償増幅器７４の前段にはベクトル調整器７８が設けられている。また、フィードフォワード路１８の歪信号を補助増幅器歪補償路７０に取り出すために第５方向性結合器８０が設けられている。
【００５１】
図５には、図４に示した概略構成をさらに詳細に示した本発明の他の実施形態が示されており、図４と同一あるいは対応する部材には符号に１００を加えて示し、詳細な説明は省略する。
【００５２】
分岐器１２２によって取り出された歪信号は、さらに分岐器１８０によって、フィードフォワード路１１８と補助増幅器歪補償路１７０とに分岐される。そして、補助増幅器歪補償路１７０の歪信号は補助増幅器１２４の出力信号の一部と逆位相で結合され、第３方向性結合器１７２の出力として歪補償信号が取り出される。
【００５３】
本実施形態において、直交復調されたＩ、Ｑ信号はフィードフォワード路１１８のベクトル調整器１８６へ供給され、フィードフォワード路１１８の利得と位相を制御する。これによって、歪補償信号の抽出を自動で行うことができる。この歪補償信号は図４と同様に補助増幅器１２４の上流に注入され、補助増幅器の歪電力を除去している。
【００５４】
すなわち、第３方向性結合器１７２を構成する分岐器１８８、減算器１９０の出力は歪補償信号として分岐器１８４に供給され、ここでフィードフォワード路１１８への注入用の信号とＩ、Ｑ直交復調用の信号とに分岐される。
【００５５】
前述した注入信号は位相器１９２を介して歪補償増幅器１７４に供給され所望の利得制御が行われた後フィードフォワード路１１８の補助増幅器１２４の上流に設けられた加算器からなる第４方向性結合器１７６に供給され、所望の歪補償が行われる。
【００５６】
一方、図５において特徴的なことは、前述した分岐器１８４の出力が直交復調器１９４において、フィードフォワード路１１８から分岐器１９６により取り出された歪信号成分と直交復調されることである。
【００５７】
すなわち、フィードフォワード路１１８において、第３方向性結合器１７２の下流に設けられた分岐器１９６においては、フィードフォワード路１１８の信号が第６方向性結合器１２６への信号と分岐信号とに分岐され、この歪信号成分が前述した直交復調器１９４に供給される。また、分岐器１９６は、フィードフォワード路１１８における補助増幅器１２４直後から、第６方向性結合器１２６直前までに配置されていればよい。
【００５８】
従って、直交復調器１９４からは歪補償信号に残留した歪信号成分がなくなるようにＩ、Ｑ直交信号が出力される。そして、これらのＩ、Ｑ直交信号はそれぞれＩ増幅器１９６及びＱ増幅器１９８を介してベクトル調整器１８６に供給される。
【００５９】
従って、このようなＩ、Ｑ直交信号によるベクトル調整によって、フィードフォワード路１１８の通過利得及び位相は常に一定に保たれることになる。このことは、経路１２２−１１０−１２６及び経路１２２−１８０−１７０−１７２−１９６−１２６の通過利得及び位相が常に一定ならば、歪除去ループの最適化を行っていることになる。従って、従来のフィードフォワード増幅器における歪除去ループの最適化に使用しているパイロット信号は不要となる。
【００６０】
以上のように本発明によれば、フィードフォワード路１１８に設けられた補助増幅器１２４の歪成分のみを除去することができ、補助増幅器に対する主成分に対して負帰還がかかることがないので、補助増幅器に対する主信号の利得を抑圧することはないという効果を得ることができる。このため、補助増幅器１２４の歪成分を小さくできるので、補助増幅器は飽和電力の小さいものに置き換えることが可能となり、電力効率を上げることができる。また、フィードフォワード路１１８の通過利得、位相が一定に制御されるので、従来まで歪除去ループの最適化に使用しているパイロット信号も不要となる。
【００６１】
図６は、本発明のさらに他の実施形態を示し、図３に示した主増幅器歪補償路と図５に示した補助増幅器歪補償路の両者を組み合わせた実施形態である。
【００６２】
従って、図６の回路に対しては、図３と図５の構成部材と同一符号を付して詳細な説明を省略する。
【００６３】
この実施形態によれば、本線路１１０の主増幅器１１２及びフィードフォワード路１１８の補助増幅器１２４の両増幅器の歪電力を確実に除去することが可能となる。従って、主増幅器、補助増幅器は、飽和電力の小さいものに置き換えることができ、電力効率を上げることができる。
【００６４】
【発明の効果】
以上説明したように、本発明によれば、簡単な構成で歪成分を除去することができる。従って、主増幅器、補助増幅器は、飽和電力の小さいものに置き換えることが可能となり、電力効率を上げることができる。
【００６５】
また、主増幅器、補助増幅器に対する主信号成分は負帰還されないので、増幅効率を著しく低下することがないという利点がある。
【００６６】
また、本線路、フィードフォワード路の通過利得及び位相は直交復調器によって、高速かつ安定に自動で一定となるように制御される。よって、従来まで歪検出ループ及び歪除去ループの最適化に使用していたパイロット信号を必要とせず、回路の簡素化、小型化が可能である。
【図面の簡単な説明】
【図１】従来のフィードフォワード電力増幅器を示す概略構成図である。
【図２】本発明の好適な実施形態を示す概略構成図である。
【図３】図２をさらに詳細に示す本発明の他の実施形態の回路図である。
【図４】本発明のさらに他の実施形態を示す概略構成図である。
【図５】図４をさらに詳細に示した本発明の他の実施形態を示す回路図である。
【図６】図３及び図５に示した実施形態を組み合わせた本発明のさらに他の実施形態を示す詳細な回路図である。
【符号の説明】
１０，１１０  本線路、１２，１１２  主増幅器、１４，１１４  入力端子、１６，１１６  出力端子、１８，１１８  フィードフォワード路、２２，１２２第７方向性結合器、２４，１２４  補助増幅器、２６，１２６  第６方向性結合器、４０，１４０  主増幅器歪補償路、４２，１４２  第１分岐手段、４４，１４４  歪増幅器、４６，１４６  第２結合手段、７０，１７０  補助増幅器歪補償路、７２，１７２  第３分岐及び減算手段、７４，１７４  歪補償増幅器、７６，１７６  第４結合手段、８０，１８０  第５分岐手段。
【図１】
2004266700.tif 000003
【図２】
2004266700.tif 000004
【図３】
2004266700.tif 000005
【図４】
2004266700.tif 000006
【図５】
2004266700.tif 000007
【図６】
2004266700.tif 000008